(57)【要約】【課題】包装容器の開封時において、誤って収容物に傷をつけてしまうことを防止することができる包装容器を提供する。【解決手段】矩形の底面部１１と、該底面部１１の各辺から上方に立設した側面部１２と、該側面部１２の上端に連接され、内側に折り込まれることにより蓋部１３を形成するフラップ部と、を備えた直方体状の包装容器１であって、フラップ部は、Ｘ方向で対向する蓋内フラップ１３ａ，１３ｂと、Ｘ方向と交差するＹ方向で対向し蓋内フラップ１３ａ，１３ｂを覆うように内側に折り込まれる蓋外フラップ１３ｃ，１３ｄと、を有し、蓋内フラップ１３ａ，１３ｂは、内側に折り込まれた状態において、蓋内フラップ１３ａの先端１３ｘと蓋内フラップ１３ｂの先端１３ｙとの距離が１０ｍｍ以下である。【選択図】図１
0003187995.tif 000002
【実用新案登録請求の範囲】
【請求項１】
矩形の底面部と、該底面部の各辺から上方に立設した側面部と、該側面部の上端に連接され、内側に折り込まれることにより蓋部を形成するフラップ部と、を備えた直方体状の包装容器であって、
前記フラップ部は、
第１の方向で対向する第１及び第２のフラップからなる内フラップと、
前記第１の方向と交差する第２の方向で対向する第３及び第４のフラップからなり、前記内フラップを覆うように内側に折り込まれる外フラップと、を有し、
前記内フラップは、内側に折り込まれた状態において、前記第１のフラップの先端と前記第２のフラップの先端との距離が１０ｍｍ以下である、包装容器。
【請求項２】
前記第１のフラップの先端と前記第２のフラップの先端とが当接している、請求項１記載の包装容器。
【請求項３】
前記第１及び第２のフラップのいずれか又は両方の先端に切り欠きが形成されている、請求項１又は２記載の包装容器。
【請求項４】
前記切り欠きは、前記第２の方向における前記内フラップの中心線を除いた領域に形成されている、請求項３記載の包装容器。
【請求項５】
前記第１及び第２のフラップの両方の先端に切り欠きが形成されており、
前記第１のフラップの先端に形成された切り欠きと前記第２のフラップの先端に形成された切り欠きとは、前記第２の方向における前記内フラップの中心線を境に互いに反対の領域に形成されている、請求項３又は４記載の包装容器。
【請求項６】
段ボール製である請求項１〜５のいずれか一項記載の包装容器。
【考案の詳細な説明】
【技術分野】
【０００１】
本発明は、包装容器に関する。
【背景技術】
【０００２】
従来より、包装資材を組み立てることにより形成された直方体状の段ボール製の包装容器が知られている（例えば特許文献１参照）。このような包装容器では、矩形の底面部の各辺から上方に側壁部が立設するとともに、該側壁部には、折り曲げ線を介して、一対の内フラップ及び一対の外フラップが設けられている。一対の内フラップが内側に折り曲げられた後に、一対の外フラップが内側に折り曲げられることによって、包装容器の上蓋が形成されている。
【先行技術文献】
【特許文献】
【０００３】
【特許文献１】特開２０１１−２０７０８号公報
【考案の概要】
【考案が解決しようとする課題】
【０００４】
上述したような包装容器は、折り曲げた外フラップが開かないように、外フラップの先端同士をテープで固定した状態で運搬する。そして運搬後の開封時には、外フラップのテープをカッター等で切ることにより外フラップの固定状態を解き、外フラップを外側に開いて収容物を取り出す。
【０００５】
ここで、外フラップを固定するテープをカッター等で切る際、収容物の詰め込み具合によっては、誤って収容物を切り、収容物に傷をつけてしまう場合がある。
【０００６】
そこで、本発明は、包装容器の開封時において、誤って収容物に傷をつけてしまう可能性を低減することができる包装容器を提供することを目的とする。
【課題を解決するための手段】
【０００７】
本発明に係る包装容器は、矩形の底面部と、該底面部の各辺から上方に立設した側面部と、該側面部の上端に連接され、内側に折り込まれることにより蓋部を形成するフラップ部と、を備えた直方体状の包装容器であって、フラップ部は、第１の方向で対向する第１及び第２のフラップからなる内フラップと、第１の方向と交差する第２の方向で対向する第３及び第４のフラップからなり、内フラップを覆うように内側に折り込まれる外フラップと、を有し、内フラップは、内側に折り込まれた状態において、第１のフラップの先端と第２のフラップの先端との距離が１０ｍｍ以下である。
【０００８】
本発明に係る包装容器では、内側に折り込まれた第１のフラップの先端と第２のフラップの先端との距離が１０ｍｍ以下とされている。このように、第１のフラップと第２のフラップとが近接していることにより、底面部と側面部とにより画定される収容空間の上方が、内フラップによって概ね覆われることとなる。包装容器は、内フラップを覆う外フラップがテープ等により封止されて運搬され、運搬先において外フラップを封止するテープがカッター等により切られて開封されるものであるところ、収容空間の上方が概ね内フラップで覆われていることによって、開封時において外フラップを封止するテープを切ったカッター等の刃先は、収容物ではなく内フラップに当たることとなる。このため、包装容器の開封時において、誤って収容物に傷をつけてしまう可能性が極めて低い。
【０００９】
また、第１のフラップの先端と第２のフラップの先端とが当接していることが好ましい。当接していることにより、底面部と側面部とにより画定される収容空間の上方を内フラップによって効果的に覆うことができ、包装容器の開封時において、誤って収容物に傷をつけてしまう可能性がより低減する。
【００１０】
また、第１及び第２のフラップのいずれか又は両方の先端に切り欠きが形成されていることが好ましい。第１のフラップと第２のフラップとが近接していることによって、内フラップの開封が困難であるところ、第１及び第２のフラップの先端に切り欠きが形成されていることにより開封作業が容易になる。また、先端に形成された切り欠きが内フラップを示す目印となるため、梱包時において内フラップと外フラップとを区別し易い。
【００１１】
また、切り欠きは、第２の方向における内フラップの中心線を除いた領域に形成されていることが好ましい。第２の方向における内フラップの中心線の上部は、外フラップの開封箇所、すなわち、外フラップを封止するテープ等が設けられる箇所とされることが多いところ、このような領域以外の領域に切り欠きを形成することによって、開封時に切り欠きをとおったカッター等が収容物に傷をつけてしまうことを防止できる。
【００１２】
また、第１及び第２のフラップの両方の先端に切り欠きが形成されており、第１のフラップの先端に形成された切り欠きと第２のフラップの先端に形成された切り欠きとは、第２の方向における内フラップの中心線を境に互いに反対の領域に形成されていることが好ましい。このことで、開封作業がより容易になり利便性が向上する。
【００１３】
また、包装容器は段ボール製であることが好ましい。包装容器を段ボールとすることにより梱包作業や運搬作業、開封作業を容易化させることができるとともに、本発明を確実に実施することができる。
【考案の効果】
【００１４】
本発明によれば、包装容器の開封時において、誤って収容物に傷をつけてしまうことを防止することができる。
【図面の簡単な説明】
【００１５】
【図１】包装容器の斜視図であり、第１及び第２の内フラップが閉じた状態を示す図である。
【図２】包装容器の斜視図であり、第１及び第２の内フラップが開いた状態を示す図である。
【図３】包装容器を展開した状態を示す展開図である。
【図４】従来の包装容器における開封処理を説明するための図である。
【図５】本実施形態に係る包装容器における開封処理を説明するための図である。
【考案を実施するための形態】
【００１６】
以下、本発明に係る包装容器の好適な実施形態について図面を参照しながら説明する。なお、全図中、同一又は相当部分には同一符号を付すこととする。また、「上」「下」の語は、図１の上下方向に対応するものである。
【００１７】
図１及び図２に示されるように、包装容器１は、組み立てられた状態において直方体状の包装箱であり、例えば段ボール製の包装箱である。包装容器１には、例えば、血液透析装置用の血液回路や補液回路等の医療用品、又は食料品等、減菌された状態で袋等に封止され且つ開封時に破損することが特に好ましくないものが収容される。
【００１８】
包装容器１は、底面部１１と、側面部１２と、蓋部１３とを備えている。包装容器１は、底面部１１と側面部１２との境界線である折り曲げ線２１、側面部１２と蓋部１３との境界線である折り曲げ線２２、及び、側面部１２に設けられた折り曲げ線２３において折り曲げられることにより、直方体状の包装箱として組み立てられている。
【００１９】
底面部１１は、第１の方向（図中のＸ方向）で対向する底面内フラップ１１ａ，１１ｂと、Ｘ方向と交差する第２の方向（図中のＹ方向）で対向する底面外フラップ１１ｃ，１１ｄとが内側に折り込まれることにより形成されている。底面内フラップ１１ａは、後述する側面部１２ａとの境界線である折り曲げ線２１ａを折り線にして９０度内側に折り込まれている。また、底面内フラップ１１ｂは、後述する側面部１２ｂとの境界線である折り曲げ線２１ｂを折り線にして９０度内側に折り込まれている。底面内フラップ１１ａ，１１ｂの詳細な構成については後述する。
【００２０】
底面外フラップ１１ｃは、底面内フラップ１１ａ，１１ｂを外側から覆うように、後述する側面部１２ｃとの境界線である折り曲げ線２１ｃを折り線にして９０度内側に折り込まれている。また、底面外フラップ１１ｄは、底面内フラップ１１ａ，１１ｂを外側から覆うように、後述する側面部１２ｄとの境界線である折り曲げ線２１ｄを折り線にして９０度内側に折り込まれている。底面外フラップ１１ｃの短辺方向の長さ（折り曲げ線２１ｃから底面外フラップ１１ｃの先端までの長さ）と、底面外フラップ１１ｄの短辺方向の長さ（折り曲げ線２１ｄから底面外フラップ１１ｄの先端までの長さ）とは略一致しており、底面外フラップ１１ｃの先端と底面外フラップ１１ｄの先端とは当接している。該当接箇所は、Ｘ方向に沿ってテープ等により封止されている。なお、本実施形態では、底面部１１の各辺、すなわち、折り曲げ線２１ａ，２１ｂ，２１ｃ，２１ｄの長さは同一であり、底面部１１は正方形であるが、これに限らない。
【００２１】
側面部１２は、底面部１１の各辺である折り曲げ線２１ａ，２１ｂ，２１ｃ，２１ｄのそれぞれから上方（図中のＺ方向）に立設した側面部１２ａ，１２ｂ，１２ｃ，１２ｄを有している。側面部１２ａ，１２ｂ，１２ｃ，１２ｄのＺ方向の長さ（すなわち高さ）はそれぞれで同一である。側面部１２ａ，１２ｂはＸ方向で対向しており、側面部１２ｃ，１２ｄはＹ方向で対向している。折り曲げ線２３ａを折り線として側面部１２ａ，１２ｄが形成する角度、折り曲げ線２３ｄを折り線として側面部１２ｂ，１２ｄが形成する角度、折り曲げ線２３ｂを折り線として側面部１２ｂ，１２ｃが形成する角度、及び、折り曲げ線２３ｃを折り線として側面部１２ａ，１２ｃが形成する角度はいずれも９０度である。なお、側面部１２ｂの側面部１２ｄと隣接する側と反対側には、折り曲げ線２３ｂを介して接着部３１が設けられている（図３参照）。接着部３１は、折り曲げ線２３ｂを折り線として９０度内側に折り込まれ、接着剤等により側面部１２ｃに接着されている。
【００２２】
蓋部１３は、Ｘ方向で対向する蓋内フラップ１３ａ，１３ｂ（内フラップ）、及び、Ｙ方向で対向する蓋外フラップ１３ｃ，１３ｄ（外フラップ）からなるフラップ部が内側に折り込まれることにより形成されている。蓋内フラップ１３ａ（第１のフラップ）は、側面部１２ａの上端である折り曲げ線２２ａに連接しており、底面部１１と側面部１２とにより画定される領域（以下収容領域と記載）に収容物が収容された状態において、折り曲げ線２２ａを折り線にして９０度内側に折り込まれる。また、蓋内フラップ１３ｂ（第２のフラップ）は、側面部１２ｂの上端である折り曲げ線２２ｂに連接しており、収容領域に収容物が収容された状態において、折り曲げ線２２ｂを折り線にして９０度内側に折り込まれる。蓋内フラップ１３ａ，１３ｂの詳細な構成については後述する。
【００２３】
蓋外フラップ１３ｃ（第３のフラップ）は、側面部１２ｃの上端である折り曲げ線２２ｃに連接しており、該折り曲げ線２２ｃを折り線にして、蓋内フラップ１３ａ，１３ｂを外側から覆うように、９０度内側に折り込まれる。また、蓋外フラップ１３ｄ（第４のフラップ）は、側面部１２ｄの上端である折り曲げ線２２ｄに連接しており、該折り曲げ線２２ｄを折り線にして、蓋内フラップ１３ａ，１３ｂを外側から覆うように、９０度内側に折り込まれる。蓋外フラップ１３ｃの短辺方向の長さ（折り曲げ線２２ｃから蓋外フラップ１３ｃの先端までの長さ）と、蓋外フラップ１３ｄの短辺方向の長さ（折り曲げ線２２ｄから蓋外フラップ１３ｄの先端までの長さ）とは略一致しており、蓋外フラップ１３ｃの先端と蓋外フラップ１３ｄの先端とは当接している。該当接箇所は、Ｘ方向に沿ってテープ等により封止されている。なお、本実施形態では、蓋部１３の各辺、すなわち、折り曲げ線２２ａ，２２ｂ，２２ｃ，２２ｄの長さは同一であり、蓋部１３は正方形であるが、これに限らない。
【００２４】
次に、底面内フラップ１１ａ，１１ｂ及び蓋内フラップ１３ａ，１３ｂの詳細について説明する。底面内フラップ１１ａと蓋内フラップ１３ａ、及び、底面内フラップ１１ｂと蓋内フラップ１３ｂは、それぞれ同様の構成であるため、以下の説明では、蓋内フラップ１３ａ，１３ｂについて説明する。
【００２５】
蓋内フラップ１３ａ，１３ｂは、それぞれ９０度内側に折り曲げられた状態において、蓋内フラップ１３ａの先端１３ｘと蓋内フラップ１３ｂの先端１３ｙとが当接している。よって、図１のように蓋内フラップ１３ａ，１３ｂが内側に折り曲げられ、且つ、蓋外フラップ１３ｃ，１３ｄが開いた状態で包装容器１を平面視すると、包装容器１の収容領域全体が蓋内フラップ１３ａ，１３ｂにより覆われている。
【００２６】
蓋内フラップ１３ａの短辺方向の長さ（折り曲げ線２２ａから先端１３ｘまでの長さ）と、蓋内フラップ１３ｂの短辺方向の長さ（折り曲げ線２２ｂから先端１３ｙまでの長さ）とは略一致しており、先端１３ｘと先端１３ｙとは、折り曲げ線２２ｃにおけるＸ方向中心と折り曲げ線２２ｄにおけるＸ方向中心とを結ぶ線上で当接している。また、これに限らず、蓋内フラップ１３ａの短辺方向の長さと、蓋内フラップ１３ｂの短辺方向の長さの和が折り曲げ線２２ｃ又は折り曲げ線２２ｄと等しければ良い。
【００２７】
また、蓋内フラップ１３ａの先端１３ｘには半円状に切り欠かれた切り欠き部５０ｘが形成されている。同様に、蓋内フラップ１３ｂの先端１３ｙには半円状にくり抜かれた切り欠き部５０ｙが形成されている。先端１３ｘ及び先端１３ｙは、切欠き部５０ｘ，５０ｙが形成された領域を除いて当接している。
【００２８】
切欠き部５０ｘ，５０ｙは、折り曲げ線２２ａにおけるＹ方向中心と折り曲げ線２２ｂにおけるＹ方向中心とを結ぶ線上（Ｙ方向における蓋内フラップ１３ａ，１３ｂの中心線ａｘ）を除いた領域に形成されている。具体的には、切欠き部５０ｘ，５０ｙは、中心線ａｘを境に互いに反対の領域に形成されており、切欠き部５０ｘは中心線ａｘよりも折り曲げ線２２ｃ側の領域、切欠き部５０ｙは中心線ａｘよりも折り曲げ線２２ｄ側の領域にそれぞれ形成されている。切欠き部５０ｘ，５０ｙの大きさは、人の指が１〜２本程度入る大きさとされている。
【００２９】
なお、蓋内フラップ１３ａの先端１３ｘと蓋内フラップ１３ｂの先端１３ｙとは、必ずしも、切欠き部５０ｘ，５０ｙが形成された領域を除いた全ての領域で当接するものでなくてもよい。例えば、Ｙ方向における蓋内フラップ１３ａ，１３ｂの中心線ａｘ近傍のみ先端１３ｘ，１３ｙが当接し、その他の領域は互いに当接するものでなくてもよい。
【００３０】
次に、本実施形態に係る包装容器１の作用効果について、図１〜図３に加えて、図４及び図５を参照して説明する。
【００３１】
本実施形態に係る包装容器１では、内側に折り込まれた蓋内フラップ１３ａの先端１３ｘと蓋内フラップ１３ｂの先端１３ｙとが当接している。
【００３２】
図４に示されるように、従来の包装容器１００では、内側に折り込まれた蓋内フラップ１１３ａと蓋内フラップ１１３ｂとは大きく離間していた。そのため、底面部１１１と側面部１１２とにより画定される収容領域Ｔの上方は、一部分のみ、蓋内フラップ１１３ａ又は蓋内フラップ１１３ｂ、及び、蓋外フラップ１１３ｃ又は蓋外フラップ１１３ｄの双方に覆われており、その大部分は、蓋外フラップ１１３ｃ又は蓋外フラップ１１３ｄにのみ覆われていた。よって、開封時において、蓋外フラップ１１３ｃと蓋外フラップ１１３ｄとの当接箇所を固定したテープをカッター等で切る際には、該テープの直下が収容物Ｃとなるため、カッター等で誤って収容物Ｃを切り、収容物Ｃに傷をつけてしまう場合があった。また、このような事態を避けるためには、収容物Ｃとフラップとの間に中板を入れる等を行う必要があり、梱包時の作業が煩雑となっていた。
【００３３】
この点、本実施形態に係る包装容器１では、図５に示されるように、蓋内フラップ１３ａの先端１３ｘと蓋内フラップ１３ｂの先端１３ｙとが当接しているため、底面部１１と側面部１２とにより画定される収容領域Ｔの上方は、蓋内フラップ１３ａ又は蓋内フラップ１３ｂ、及び、蓋外フラップ１３ｃ又は蓋外フラップ１３ｄの双方に覆われることとなる。よって、開封時において、蓋外フラップ１３ｃと蓋外フラップ１３ｄとの当接箇所を固定したテープをカッター等で切る際には、該テープの直下は、収容物Ｃではなく蓋内フラップ１３ａ又は蓋内フラップ１３ｂのいずれかとなるため、カッター等の刃先は収容物Ｃではなく蓋内フラップ１３ａ又は蓋内フラップ１３ｂのいずれかに当たることとなる。これにより、包装容器１の開封時において、誤って収容物Ｃに傷をつけてしまうことを防止することができる。そのため、従来用いていた中板等が不要となり、梱包時の作業が簡易化され、梱包時に必要な段ボールの量を削減することができる。
【００３４】
また、蓋内フラップ１３ａの先端１３ｘに切り欠き部５０ｘが、蓋内フラップ１３ｂの先端１３ｙに切欠き部５０ｙが、それぞれ形成されていることにより、先端１３ｘと先端１３ｙとが当接し内フラップの開封が困難となっている場合であっても、切り欠き部５０ｘ，５０ｙに指を挿入して開封作業を行うことができ、開封作業が容易化する。また、切り欠き部５０ｘ，５０ｙが蓋内フラップ１３ａ，１３ｂを示す目印となるため、梱包時において蓋内フラップ１３ａ，１３ｂと蓋外フラップ１３ｃ，１３ｄとを区別し易い。
【００３５】
また、切り欠き部５０ｘ，５０ｙは、Ｙ方向における蓋内フラップ１３ａ，１３ｂの中心線ａｘを除いた領域に形成されている。中心線ａｘの上部は蓋外フラップ１３ｃの先端と蓋外フラップ１３ｄの先端との当接箇所であり、蓋外フラップ１３ｃ，１３ｄを封止するテープ等が設けられる箇所であるところ、このような箇所を避けて切り欠き部５０ｘ，５０ｙを形成することによって、開封時に切り欠きをとおったカッター等が収容物に傷をつけてしまうことを防止できる。
【００３６】
また、切り欠き部５０ｘ及び切欠き部５０ｙが、Ｙ方向における蓋内フラップ１３ａ，１３ｂの中心線ａｘを境に互いに反対の領域に形成されていることにより、切り欠き部５０ｘと切欠き部５０ｙとが近接して設けられている場合と比較して開封作業が行いやすくなり、利便性が向上する。
【００３７】
なお、上述したように、底面内フラップ１１ａと蓋内フラップ１３ａ、及び、底面内フラップ１１ｂと蓋内フラップ１３ｂは、それぞれ同様の構成である。すなわち、底面内フラップ１１ａの先端１１ｘと底面内フラップ１１ｂの先端１１ｙとは当接しており、先端１１ｘには切欠き部４０ｘが、先端１１ｙには切欠き部４０ｙが、それぞれ形成されている。そのため、仮に、開封作業が底面部１１側から行われる場合であっても、底面内フラップ１１ａ，１１ｂにより、上述した収容物Ｃの防護等を行うことができる。
【００３８】
また、包装容器１を段ボール製とすることで、梱包作業や運搬作業、開封作業を容易化させることができるとともに、上述した内フラップによる収容物Ｃの防護を確実に行うことができる。
【００３９】
以上、本発明の好適な実施形態について説明したが、本発明は上記実施形態に限定されるものではない。例えば、上記実施形態では、蓋内フラップ１３ａの先端１３ｘと蓋内フラップ１３ｂの先端１３ｙとが当接しているとして説明したが、必ずしも当接した箇所を含む必要はなく、例えば、Ｙ方向における蓋内フラップ１３ａ，１３ｂの中心線ａｘ上における対向する内フラップの先端間の距離を１０ｍｍ以下とするものであってもよい。この場合には、底面部１１と側面部１２とにより画定される収容空間の上方が蓋内フラップ１３ａ，１３ｂによって概ね覆われることとなるため、蓋内フラップ１３ａの先端１３ｘと蓋内フラップ１３ｂの先端１３ｙとが当接している場合と同様に、包装容器の開封時において、収容物に傷をつけてしまう可能性が極めて低い。
【００４０】
また、切欠き部は設けられていなくてもよいし、対向する内フラップの先端の一方にのみ設けられるものであってもよいし、対向する内フラップの先端それぞれに２箇所以上設けられるものであってもよい。すなわち、切欠き部の数は限定されない。
【００４１】
また、切欠き部の形状は半円状に限られない。人の指が挿入できる大きさの穴であれば良く、四角や三角などの形状であってもよい。
【符号の説明】
【００４２】
１…包装容器、１１…底面部、１１ａ，１１ｂ…底面内フラップ、１１ｃ，１１ｄ…底面外フラップ、１１ｘ，１１ｙ…先端、１２，１２ａ，１２ｂ，１２ｃ，１２ｄ…側面部、１３…蓋部、１３ａ，１３ｂ…蓋内フラップ、１３ｃ，１３ｄ…蓋外フラップ、１３ｘ，１３ｙ…先端、４０ｘ，４０ｙ，５０ｘ，５０ｙ…切り欠き部。。
【図１】
0003187995.tif 000003
【図２】
0003187995.tif 000004
【図３】
0003187995.tif 000005
【図４】
0003187995.tif 000006
【図５】
0003187995.tif 000007